(57)【特許請求の範囲】
【請求項１】
基地局にアクセスするための方法であって、マルチモード端末に適用され、
複数の基地局から、それぞれ該複数の基地局に対応する作動モード候補を受信することであり、該作動モード候補の各々は、現在の基地局が、該基地局にアクセスする端末が作動することをサポートする作動モードであり、前記マルチモード端末が複数の異なる作動モードのヌメロロジをサポートすることができ、前記複数の異なる作動モードのそれぞれは、異なるキャリア帯域に対応している、受信することと、
該作動モード候補および該マルチモード端末によってサポートされる複数の作動モードに従って、該複数の基地局から該マルチモード端末と適合する標的基地局を決定することと、
該標的基地局にアクセスすることとを含む、方法。
【請求項２】
前記作動モード候補および前記マルチモード端末によってサポートされる複数の作動モードに従って、前記複数の基地局から前記マルチモード端末と適合する標的基地局を決定することは、
前記作動モード候補から前記マルチモード端末によってサポートされる前記複数の作動モードのうちの１つと適合する標的作動モード候補を決定することと、
前記標的作動モード候補に従って、前記複数の基地局から前記マルチモード端末と適合する標的基地局を決定することとを含む、請求項１に記載の方法。
【請求項３】
前記標的作動モード候補に従って、前記複数の基地局から前記マルチモード端末と適合する標的基地局を決定することは、
前記標的作動モード候補の数が１に等しい場合に、前記複数の基地局の前記作動モード候補に対応する前記基地局を、前記マルチモード端末と適合する該標的基地局として決定することを含む、請求項２に記載の方法。
【請求項４】
前記標的作動モード候補に従って、前記複数の基地局から前記マルチモード端末と適合する標的基地局を決定することは、
前記標的作動モード候補の数が１よりも大きい場合に、前記マルチモード端末の現在のサービス要件と適合する前記標的作動モード候補を決定することと、
該現在のサービス要件と適合する前記標的作動モード候補に対応する基地局を、前記マルチモード端末と適合する標的基地局として決定することとを含む、請求項２に記載の方法。
【請求項５】
前記標的基地局にアクセスするアクセス手順の間に、または、前記標的基地局にアクセスした後に、前記マルチモード端末によってサポートされる前記複数の作動モードを前記標的基地局に報告することであって、結果、前記標的基地局は、前記複数の作動モードに基づいて、前記マルチモード端末と適合する標的作動モードを構成する、報告することをさらに含む、請求項１に記載の方法。
【請求項６】
基地局にアクセスするための方法であって、基地局に適用され、
該基地局に対応する作動モード候補をマルチモード端末に送信することであり、結果、該マルチモード端末は、複数の基地局から送信され、それぞれ該複数の基地局に対応する該作動モード候補、および、該マルチモード端末によってサポートされる複数の作動モードに従って、該複数の基地局から該マルチモード端末と適合する標的基地局を決定する、送信することを含み、
該作動モード候補の各々は、現在の基地局が、該基地局にアクセスする端末が作動することをサポートする作動モードであり、前記マルチモード端末が複数の異なる作動モードのヌメロロジをサポートすることができ、前記複数の異なる作動モードのそれぞれは、異なるキャリア帯域に対応している、方法。
【請求項７】
前記基地局に対応する作動モード候補を前記マルチモード端末に送信することは、
システム情報によって、前記基地局に対応する作動モード候補を前記マルチモード端末に送信することを含む、請求項６に記載の方法。
【請求項８】
前記基地局に対応する前記作動モード候補を前記マルチモード端末に送信した後に、
マルチモード端末が、前記基地局を、前記マルチモード端末と適合する標的基地局として決定した後、前記標的基地局にアクセスするアクセス手順の間に、または、前記標的基地局にアクセスした後に、前記マルチモード端末によってサポートされる前記複数の作動モードを受信することと、
前記複数の作動モードに従って、前記マルチモード端末と適合する前記標的作動モードを構成することとをさらに含む、請求項６に記載の方法。
【請求項９】
基地局にアクセスするための装置であって、マルチモード端末に適用され、
複数の基地局から、それぞれ該複数の基地局に対応する作動モード候補を受信するように構成されている第１の受信モジュールであり、該作動モード候補の各々は、現在の基地局が、該基地局にアクセスする端末が作動することをサポートする作動モードであり、前記マルチモード端末が複数の異なる作動モードのヌメロロジをサポートすることができ、前記複数の異なる作動モードのそれぞれは、異なるキャリア帯域に対応している、第１の受信モジュールと、
該作動モード候補および該マルチモード端末によってサポートされる複数の作動モードに従って、該複数の基地局から該マルチモード端末と適合する標的基地局を決定するように構成されている基地局決定モジュールと、
該標的基地局にアクセスするように構成されているアクセスモジュールとを備える、装置。
【請求項１０】
前記基地局決定モジュールは、
前記作動モード候補から前記マルチモード端末によってサポートされる前記複数の作動モードのうちの１つと適合する標的作動モード候補を決定するように構成されている第１の決定サブモジュールと、
該標的作動モード候補に従って、前記複数の基地局から前記マルチモード端末と適合する標的基地局を決定するように構成されている第２の決定サブモジュールとを備える、請求項９に記載の装置。
【請求項１１】
前記第２の決定サブモジュールは、
前記標的作動モード候補の数が１に等しい場合に、前記複数の基地局の前記作動モード候補に対応する前記基地局を、前記マルチモード端末と適合する前記標的基地局として決定するように構成されている第３の決定サブモジュールを備える、請求項１０に記載の装置。
【請求項１２】
前記第２の決定サブモジュールは、
前記標的作動モード候補の数が１よりも大きい場合に、前記マルチモード端末の現在のサービス要件と適合する前記標的作動モード候補を決定するように構成されている第４の決定サブモジュールと、
前記現在のサービス要件と適合する前記標的作動モード候補に対応する基地局を、前記マルチモード端末と適合する標的基地局として決定するように構成されている第５の決定サブモジュールとを備える、請求項１０に記載の装置。
【請求項１３】
前記標的基地局にアクセスするアクセス手順の間に、または、前記標的基地局にアクセスした後に、前記マルチモード端末によってサポートされる前記複数の作動モードを前記標的基地局に報告するように構成されている報告モジュールであって、結果、前記標的基地局は、前記複数の作動モードに基づいて、前記マルチモード端末と適合する標的作動モードを構成する、報告モジュールをさらに含む、請求項９に記載の装置。
【請求項１４】
基地局にアクセスするための装置であって、基地局に適用され、
該基地局に対応する作動モード候補をマルチモード端末に送信するように構成されている送信モジュールであり、結果、該マルチモード端末は、複数の基地局から送信され、それぞれ該複数の基地局に対応する該作動モード候補、および、該マルチモード端末によってサポートされる複数の作動モードに従って、該複数の基地局から該マルチモード端末と適合する標的基地局を決定する、送信モジュールを備え、
該作動モード候補の各々は、現在の基地局が、該基地局にアクセスする端末が作動することをサポートする作動モードであり、前記マルチモード端末が複数の異なる作動モードのヌメロロジをサポートすることができ、前記複数の異なる作動モードのそれぞれは、異なるキャリア帯域に対応している、装置。
【請求項１５】
前記送信モジュールは、
システム情報によって、前記基地局に対応する作動モード候補を前記マルチモード端末に送信するように構成されている送信サブモジュールを備える、請求項１４に記載の装置。
【請求項１６】
前記マルチモード端末が、前記基地局を、前記マルチモード端末と適合する前記標的基地局として決定した後、前記標的基地局にアクセスする前記アクセス手順の間に、または、前記標的基地局にアクセスした後に、前記マルチモード端末によってサポートされる前記複数の作動モードを受信するように構成されている第２の受信モジュールと、
前記複数の作動モードに従って、前記マルチモード端末と適合する前記標的作動モードを構成するように構成されている作動モード構成モジュールとをさらに備える、請求項１４に記載の装置。
【請求項１７】
コンピュータ・プログラムを記憶するように構成されているコンピュータ可読記憶媒体であって、該コンピュータ・プログラムは、請求項１〜５のいずれか一項に記載の基地局にアクセスするための方法を実施するように構成されている、コンピュータ可読記憶媒体。
【請求項１８】
コンピュータ・プログラムを記憶するように構成されているコンピュータ可読記憶媒体であって、該コンピュータ・プログラムは、請求項６〜８のいずれか一項に記載の基地局にアクセスするための方法を実施するように構成されている、コンピュータ可読記憶媒体。
【請求項１９】
基地局にアクセスするための装置であって、マルチモード端末に適用され、
プロセッサと、
プロセッサ実行可能命令を記憶するように構成されているメモリとを備え、
該プロセッサは、
複数の基地局から、それぞれ該複数の基地局に対応する作動モード候補を受信することであり、該作動モード候補の各々は、現在の基地局が、該基地局にアクセスする端末が作動することをサポートする作動モードであり、前記マルチモード端末が複数の異なる作動モードのヌメロロジをサポートすることができ、前記複数の異なる作動モードのそれぞれは、異なるキャリア帯域に対応している、受信することと、
該作動モード候補および該マルチモード端末によってサポートされる複数の作動モードに従って、該複数の基地局から該マルチモード端末と適合する標的基地局を決定することと、
該標的基地局にアクセスすることとを行うように構成されている、装置。
【請求項２０】
基地局にアクセスするための装置であって、基地局に適用され、
プロセッサと、
プロセッサ実行可能命令を記憶するように構成されているメモリとを備え、
該プロセッサは、
該基地局に対応する作動モード候補をマルチモード端末に送信することであり、結果、該マルチモード端末は、該複数の基地局によって送信され、それぞれ該複数の基地局に対応する該作動モード候補、および、該マルチモード端末によってサポートされる複数の作動モードに従って、該複数の基地局から該マルチモード端末と適合する標的基地局を決定する、送信することを行うように構成されており、
該作動モード候補の各々は、現在の基地局が、該基地局にアクセスする端末が作動することをサポートする作動モードであり、前記マルチモード端末が複数の異なる作動モードのヌメロロジをサポートすることができ、前記複数の異なる作動モードのそれぞれは、異なるキャリア帯域に対応している、装置。
【発明の詳細な説明】
【技術分野】
【０００１】
本開示は、通信の分野に関し、より詳細には、基地局にアクセスするための方法および装置に関する。
【背景技術】
【０００２】
５Ｇ（すなわち、ＮＲ（ニュー・ラジオ））システム関連標準化が、３ＧＰＰ（第３世代パートナーシップ・プロジェクト）において実行されている。５Ｇシステムにおいて、マルチモード端末が、複数の異なる作動モードのヌメロロジをサポートすることができるが、異なる作動モードは異なる端末の機能、サポート可能なネットワーク構成およびサービスに対応する。
【０００３】
しかしながら、現在、マルチモード端末が基地局にアクセスする方法は存在しない。
【発明の概要】
【発明が解決しようとする課題】
【０００４】
従来技術に存在する問題を克服するために、本開示の様々な実施形態は、基地局にアクセスするための方法および装置を開示する。
【課題を解決するための手段】
【０００５】
本開示の実施形態の第１の態様によれば、マルチモード端末に適用される、基地局にアクセスするための方法であって、
複数の基地局から、それぞれ複数の基地局に対応する作動モード候補を受信することであり、作動モード候補の各々は、現在の基地局が、当該基地局にアクセスする端末が作動することをサポートする作動モードである、受信することと、
作動モード候補およびマルチモード端末によってサポートされる複数の作動モードに従って、複数の基地局からマルチモード端末と適合する標的基地局を決定することと、
標的基地局にアクセスすることと
を含む、方法が提供される。
【０００６】
いくつかの実施形態において、作動モード候補およびマルチモード端末によってサポートされる複数の作動モードに従って、複数の基地局からマルチモード端末と適合する標的基地局を決定することは、
作動モード候補からマルチモード端末によってサポートされる複数の作動モードのうちの１つと適合する標的作動モード候補を決定することと、
標的作動モード候補に従って、複数の基地局からマルチモード端末と適合する標的基地局を決定することと
を含む。
【０００７】
いくつかの実施形態において、標的作動モード候補に従って、複数の基地局からマルチモード端末と適合する標的基地局を決定することは、
標的作動モード候補の数が１に等しい場合に、複数の基地局の作動モード候補に対応する基地局を、マルチモード端末と適合する標的基地局として決定することを含む。
【０００８】
いくつかの実施形態において、標的作動モード候補に従って、複数の基地局からマルチモード端末と適合する標的基地局を決定することは、
標的作動モード候補の数が１よりも大きい場合に、マルチモード端末の現在のサービス要件と適合する標的作動モード候補を決定することと、
現在のサービス要件と適合する標的作動モード候補に対応する基地局を、マルチモード端末と適合する標的基地局として決定することと
を含む。
【０００９】
本開示の実施形態の第２の態様によれば、基地局に適用される、基地局にアクセスするための方法であって、
基地局に対応する作動モード候補をマルチモード端末に送信することであり、結果、マルチモード端末は、複数の基地局から送信され、それぞれ複数の基地局に対応する作動モード候補、および、マルチモード端末によってサポートされる複数の作動モードに従って、複数の基地局からマルチモード端末と適合する標的基地局を決定する、送信することを含み、
作動モード候補の各々は、現在の基地局が、当該基地局にアクセスする端末が作動することをサポートする作動モードである、方法が提供される。
【００１０】
いくつかの実施形態において、基地局に対応する作動モード候補をマルチモード端末に送信することは、
システム情報によって、基地局に対応する作動モード候補をマルチモード端末に送信することを含む。
【００１１】
いくつかの実施形態において、基地局に対応する作動モード候補をマルチモード端末に送信した後、
マルチモード端末が、基地局を、マルチモード端末と適合する標的基地局として決定した後、標的基地局にアクセスするアクセス手順の間に、または、標的基地局にアクセスした後に、マルチモード端末によってサポートされる複数の作動モードを受信することと、
複数の作動モードに従って、マルチモード端末と適合する標的作動モードを構成することと
をさらに含む。
【００１２】
本開示の実施形態の第３の態様によれば、マルチモード端末に適用される、基地局にアクセスするための装置であって、
複数の基地局から、それぞれ複数の基地局に対応する作動モード候補を受信するように構成されている第１の受信モジュールであり、作動モード候補の各々は、現在の基地局が、当該基地局にアクセスする端末が作動することをサポートする作動モードである、第１の受信モジュールと、
作動モード候補およびマルチモード端末によってサポートされる複数の作動モードに従って、複数の基地局からマルチモード端末と適合する標的基地局を決定するように構成されている基地局決定モジュールと、
標的基地局にアクセスするように構成されているアクセスモジュールと
を含む、装置が提供される。
【００１３】
いくつかの実施形態において、基地局決定モジュールは、
作動モード候補からマルチモード端末によってサポートされる複数の作動モードのうちの１つと適合する標的作動モード候補を決定するように構成されている第１の決定サブモジュールと、
標的作動モード候補に従って、複数の基地局からマルチモード端末と適合する標的基地局を決定するように構成されている第２の決定サブモジュールと
を含む。
【００１４】
いくつかの実施形態において、第２の決定サブモジュールは、
標的作動モード候補の数が１に等しい場合に、複数の基地局の作動モード候補に対応する基地局を、マルチモード端末と適合する標的基地局として決定するように構成されている第３の決定サブモジュールを含む。
【００１５】
いくつかの実施形態において、第２の決定サブモジュールは、
標的作動モード候補の数が１よりも大きい場合に、マルチモード端末の現在のサービス要件と適合する標的作動モード候補を決定するように構成されている第４の決定サブモジュールと、
現在のサービス要件と適合する標的作動モード候補に対応する基地局を、マルチモード端末と適合する標的基地局として決定するように構成されている第５の決定サブモジュールと
を含む。
【００１６】
いくつかの実施形態において、
標的基地局にアクセスするアクセス手順の間に、または、標的基地局にアクセスした後に、マルチモード端末によってサポートされる複数の作動モードを標的基地局に報告するように構成されている報告モジュールであって、結果、標的基地局は、複数の作動モードに基づいて、マルチモード端末と適合する標的作動モードを構成する、報告モジュールをさらに含む。
【００１７】
本開示の実施形態の第４の態様によれば、基地局に適用される、基地局にアクセスするための装置であって、
基地局に対応する作動モード候補をマルチモード端末に送信するように構成されている送信モジュールであり、結果、マルチモード端末は、複数の基地局から送信され、それぞれ複数の基地局に対応する作動モード候補、および、マルチモード端末によってサポートされる複数の作動モードに従って、複数の基地局からマルチモード端末と適合する標的基地局を決定する、送信モジュールを含み、
作動モード候補の各々は、現在の基地局が、当該基地局にアクセスする端末が作動することをサポートする作動モードである、装置が提供される。
【００１８】
いくつかの実施形態において、送信モジュールは、
システム情報によって、基地局に対応する作動モード候補をマルチモード端末に送信するように構成されている送信サブモジュールを含む。
【００１９】
いくつかの実施形態において、
マルチモード端末が、基地局を、マルチモード端末と適合する標的基地局として決定した後、標的基地局にアクセスするアクセス手順の間に、または、標的基地局にアクセスした後に、マルチモード端末によってサポートされる複数の作動モードを受信するように構成されている第２の受信モジュールと、
複数の作動モードに従って、マルチモード端末と適合する標的作動モードを構成するように構成されている作動モード構成モジュールと
をさらに含む。
【００２０】
本開示の実施形態の第４の態様によれば、コンピュータ・プログラムを記憶するように構成されているコンピュータ可読記憶媒体であって、コンピュータ・プログラムは、第１の態様による基地局にアクセスするための方法を実施するように構成されている、コンピュータ可読記憶媒体が提供される。
【００２１】
本開示の実施形態の第４の態様によれば、コンピュータ・プログラムを記憶するように構成されているコンピュータ可読記憶媒体であって、コンピュータ・プログラムは、第２の態様による基地局にアクセスするための方法を実施するように構成されている、コンピュータ可読記憶媒体が提供される。
【００２２】
本開示の実施形態の第４の態様によれば、基地局にアクセスするための装置であって、マルチモード端末に適用され、
プロセッサと、
プロセッサ実行可能命令を記憶するように構成されているメモリと
を備え、
プロセッサは、
複数の基地局から、それぞれ複数の基地局に対応する作動モード候補を受信することであり、作動モード候補の各々は、現在の基地局が、当該基地局にアクセスする端末が作動することをサポートする作動モードである、受信することと、
作動モード候補およびマルチモード端末によってサポートされる複数の作動モードに従って、複数の基地局からマルチモード端末と適合する標的基地局を決定することと、
標的基地局にアクセスすることと
を行うように構成されている、装置が提供される。
【００２３】
本開示の実施形態の第４の態様によれば、基地局にアクセスするための装置であって、基地局に適用され、
プロセッサと、
プロセッサ実行可能命令を記憶するように構成されているメモリと
を備え、
プロセッサは、
基地局に対応する作動モード候補をマルチモード端末に送信することであり、結果、マルチモード端末は、複数の基地局から送信され、それぞれ複数の基地局に対応する作動モード候補、および、マルチモード端末によってサポートされる複数の作動モードに従って、複数の基地局からマルチモード端末と適合する標的基地局を決定する、送信することを行うように構成されており、
作動モード候補の各々は、現在の基地局が、当該基地局にアクセスする端末が作動することをサポートする作動モードである、装置が提供される。
【００２４】
本開示の実施形態によって提供される技術的解決策は、以下の有益な効果を含むことができる。
【００２５】
本開示の実施形態において、マルチモード端末は、最初に、複数の基地局によって送信される作動モード候補を受信することができ、作動モード候補の各々は、現在の基地局が、当該基地局にアクセスする端末が作動することをサポートする作動モードである。さらに、マルチモード端末は、作動モード候補およびマルチモード端末によってサポートされる複数の作動モードに従って、複数の基地局からマルチモード端末と適合する標的基地局を決定し、さらに、標的基地局にアクセスする。上記のプロセスを通じて、マルチモード端末は、複数の基地局からマルチモード端末と適合する標的基地局を選択し、その後、標的基地局にアクセスし、結果、マルチモード端末が通常通り作動することを可能にするという目的を達成することができる。
【００２６】
本開示の様々な実施形態において、マルチモード端末は、受信されている作動モード候補の中で、マルチモード端末によってサポートされる複数の作動モードのいずれかと適合する標的作動モード候補を決定することができ、結果、標的作動モード候補に従って、マルチモード端末と適合する標的基地局が決定される。それゆえ、柔軟性および高い可用性が達成される。
【００２７】
本開示の様々な実施形態において、任意選択的に、標的作動モード候補の数が１に等しいとき、標的作動モード候補に対応する基地局が、マルチモード端末と適合する標的基地局として使用される。標的作動モード候補の数が１よりも大きいとき、場合に、マルチモード端末の現在のサービス要件と適合する標的作動モード候補に対応する基地局が、マルチモード端末と適合する標的基地局として使用される。上記のプロセスを通じてマルチモード端末と適合する標的基地局は、マルチモード端末が標的基地局へのアクセス後に通常通り作動することができるように、マルチモード端末によって複数の基地局から決定することができる。
【００２８】
本開示の実施形態において、標的基地局を決定した後、マルチモード端末は、標的基地局にアクセスするプロセスの間に、または、標的基地局にアクセスした後に、マルチモード端末によってサポートされる複数の作動モードを、標的基地局に報告することができる。標的基地局は、複数の作動モードに基づいてマルチモード端末と適合する標的作動モードを構成し、結果、マルチモード端末が標的基地局へのアクセス後に通常通り作動することができることがさらに保証される。
【００２９】
本開示の実施形態において、基地局は、基地局に対応する作動モード候補をマルチモード端末に送信することができる。マルチモード端末は、複数の基地局によって送信され、それぞれ複数の基地局に対応する代替的な端末モード、および、マルチモード端末によってサポートされる複数の作動モードに従って、複数の基地局からマルチモード端末と適合する標的基地局を決定することができる。上記のプロセスを通じて、基地局は、マルチモード端末がマルチモード端末と適合する標的基地局を決定し、結果、マルチモード端末が通常通り作動することができることを保証するように、基地局に対応する作動モード候補をマルチモード端末に送信する必要がある。
【００３０】
本開示の実施形態において、基地局は、単純で可用性が高いシステム情報を通じて、作動モード候補をマルチモード端末に送信することができる。
【００３１】
本開示の実施形態において、マルチモード端末によって基地局がマルチモード端末と適合する標的基地局として決定された後、基地局は、マルチモード端末によってサポートされる複数の作動モードを受信することができ、このことは基地局にアクセスするプロセスの間に、または、基地局にアクセスした後にマルチモード端末によって報告される。さらに、基地局は、複数の作動モードに従ってマルチモード端末と適合する標的作動モードを構成し、結果、マルチモード端末が基地局へのアクセス後に通常通り作動することができることがさらに保証される。
【００３２】
上記の一般的な記載および下記の詳細な記載は、例示であり説明のためのものであるに過ぎず、本開示を限定するように意図されていることは理解されたい。
【００３３】
本明細書に組み込まれるとともに本明細書の一部を構成する添付の図面は、本開示に一致する実施形態を示し、本明細書とともに、本開示の原理を説明する役割を果たす。
【図面の簡単な説明】
【００３４】
【図１】例示的な実施形態に従って示される基地局にアクセスするための方法の流れ図である。
【図２】例示的な実施形態に従って示される基地局にアクセスするためのさらなる方法の流れ図である。
【図３】例示的な実施形態に従って示される基地局にアクセスするための別の方法の流れ図である。
【図４】例示的な実施形態に従って示される基地局にアクセスするためのさらに別の方法の流れ図である。
【図５Ａ】例示的な実施形態に従って示される基地局にアクセスするシナリオを示す概略図である。
【図５Ｂ】例示的な実施形態に従って示される基地局にアクセスするためのさらに別の方法の流れ図である。
【図６】例示的な実施形態に従って示される基地局にアクセスするための装置のブロック図である。
【図７】例示的な実施形態に従って示される基地局にアクセスするためのさらなる装置のブロック図である。
【図８】例示的な実施形態に従って示される基地局にアクセスするための別の装置のブロック図である。
【図９】例示的な実施形態に従って示される基地局にアクセスするためのさらに別の装置のブロック図である。
【図１０】例示的な実施形態に従って示される基地局にアクセスするためのさらに別の装置のブロック図である。
【図１１】例示的な実施形態に従って示される基地局にアクセスするためのさらに別の装置のブロック図である。
【図１２】例示的な実施形態に従って示される基地局にアクセスするためのさらに別の装置のブロック図である。
【図１３】例示的な実施形態に従って示される基地局にアクセスするためのさらに別の装置のブロック図である。
【図１４】本開示の例示的な実施形態に従って示される基地局にアクセスするための装置の概略構造図である。
【図１５】本開示の例示的な実施形態に従って示される基地局にアクセスするためのさらなる装置の概略構造図である。
【発明を実施するための形態】
【００３５】
ここで、例示的な実施形態を詳細に参照し、その例は添付の図面に示されている。以下の説明は添付の図面を参照し、図面において、異なる図面内の同じ参照符号は、別途表現しない限り、同じまたは同様の要素を表す。例示的な実施形態の以下の説明に記載されている実施態様は、本開示と一致するすべての実施態様を表すとは限らない。代わりに、それらは、添付の特許請求の範囲に記載されている、本開示に関係する態様と一致する装置および方法の例に過ぎない。
【００３６】
本開示において使用される用語は、本開示を限定するのではなく、特定の実施形態を例示することを目的とするに過ぎない。本開示および添付の特許請求の範囲において使用される単数形の「１つの（ａ）」、「上記（ｓａｉｄ）」および「その（ｔｈｅ）」という用語はまた、文脈において別途明確に指定されない限り、それらの複数形をも含むように意図されている。本明細書において使用されているものとしての「および／または」という用語は、リストされている１つまたは複数の関連する項目のあらゆる可能な組み合わせを参照することも諒解され得る。
【００３７】
本明細書において、「第１の」、「第２の」、「第３の」などの用語が様々な情報を説明するために使用されている場合があるが、そのような情報はこれらの用語に限定されず、これらの用語は、同じカテゴリの異なる情報の間で区別するために使用されているに過ぎないことが諒解され得る。例えば、本開示の範囲から逸脱しない限り、第１の情報は、第２の情報として参照することもでき、同様に、第２の情報は、第１の情報として参照することもできる。文脈に応じて、本明細書において使用されるものとして「ｉｆ」という用語は、「ｗｈｅｎ」、「ｗｈｉｌｅ」、または「決定に応答して（ｉｎ  ｒｅｓｐｏｎｓｅ  ｔｏ  ｄｅｔｅｒｍｉｎｉｎｇ）」として解釈することができる。
【００３８】
本開示の一実施形態は、複数の作動モードをサポートするマルチモード端末に適用することができる、基地局にアクセスするための方法を提供する。マルチモード端末は、種々の技術標準のネットワークにおいて作動し、複数のネットワーク帯域をサポートすることができ、すなわち、マルチモード端末は、複数の作動モードをサポートする。図１は、以下のステップを含むことができる、例示的な実施形態に従って示される基地局にアクセスするための方法の流れ図である。
【００３９】
ステップ１０１において、複数の基地局によって送信され、それぞれ複数の基地局に対応する作動モード候補が受信され、作動モード候補の各々は、現在の基地局が、当該基地局にアクセスする端末が作動することをサポートする作動モードである。
【００４０】
ステップ１０２において、作動モード候補およびマルチモード端末によってサポートされる複数の作動モードに従って、複数の基地局からマルチモード端末と適合する標的基地局が決定される。
【００４１】
ステップ１０３において、マルチモード端末が標的基地局にアクセスする。
【００４２】
本開示の上記の実施形態において、マルチモード端末は、最初に、複数の基地局によって送信される作動モード候補を受信することができ、作動モード候補の各々は、現在の基地局が、当該基地局にアクセスする端末が作動することをサポートする作動モードである。さらに、マルチモード端末は、作動モード候補およびマルチモード端末によってサポートされる複数の作動モードに従って、複数の基地局からマルチモード端末と適合する標的基地局を決定し、さらに、標的基地局にアクセスする。上記のプロセスを通じて、マルチモード端末は、複数の基地局からマルチモード端末と適合する標的基地局を選択し、その後、標的基地局にアクセスし、結果、マルチモード端末が通常通り作動することを可能にするという目的を達成することができる。
【００４３】
ステップ１０１を参照すると、現在の基地局は、当該基地局にアクセスする端末が作動することをサポートする作動モード、すなわち、現在の基地局に対応する作動モード候補を、現在の基地局のサービス範囲内のマルチモード端末に送信することができる。各基地局は、１つまたは複数の作動モード候補に対応することができ、各作動モード候補は、１つのキャリア帯域に対応する。任意選択的に、現在の基地局は、システム情報において作動モード候補をブロードキャストすることができる。
【００４４】
このステップにおいて、マルチモード端末は、関連する技術に従って複数の基地局によって直接的に送信される対応する作動モード候補を直接的に受信する。
【００４５】
ステップ１０２を参照すると、複数の基地局によって送信され、それぞれ複数の基地局に対応する作動モード候補を受信した後、マルチモード端末は、作動モード候補、および、マルチモード端末自体によってサポートされる複数の作動モードに従って、複数の基地局からマルチモード端末と適合する標的基地局を決定することができる。
【００４６】
任意選択的に、標的基地局を決定するプロセスが、図２に示されている。図２は、以下のステップを含むことができる、図１に示す実施形態に従って示される基地局にアクセスするためのさらなる方法の流れ図である。
【００４７】
ステップ１０２−１において、作動モード候補から、マルチモード端末によってサポートされる複数の作動モードのうちのいずれかと適合する標的作動モード候補が決定される。
【００４８】
このステップにおいて、マルチモード端末によって受信される、それぞれ複数の基地局に対応する作動モード候補は、表１に示すものであり得る。
【表１】
0006901591.tif 000002
【００４９】
マルチモード端末は、表１に従って、マルチモード端末自体によってサポートされる複数の作動モードのうちのいずれかと適合する標的作動モード候補を決定することができる。例えば、マルチモード端末によってサポートされる複数の作動モードは、モードＡおよびモードＥであると仮定される。このとき、マルチモード端末は、表１に従って、モードＡが標的作動モード候補であると決定することができる。
【００５０】
ステップ１０２−２において、標的作動モード候補に従って、複数の基地局からマルチモード端末と適合する標的基地局が決定される。
【００５１】
本開示の実施形態において、ステップ１０２−２は、以下の２つの事例を含む場合がある。
【００５２】
第１の事例において、標的作動モード候補の数が１に等しい場合、
【００５３】
マルチモード端末は、複数の基地局のうちの標的作動モード候補に対応する基地局を直接的に、マルチモード端末と適合する標的基地局として使用することができる。
【００５４】
例えば、マルチモード端末によってサポートされる複数の作動モードがモードＡおよびモードＥを含み、表１に従って決定される標的作動モード候補の数が１であれば、標的作動モード候補はモードＡである。このとき、モードＡに対応する基地局１が、マルチモード端末と適合する標的基地局である。
【００５５】
第２の事例において、標的作動モード候補の数が１よりも大きい場合、
【００５６】
この事例においては、マルチモード端末は、その現在のサービス要件に従って標的基地局を選択する必要がある。
【００５７】
最初に、マルチモード端末は、複数の標的作動モード候補から、現在のサービス要件と適合する標的作動モード候補を決定する必要がある。任意選択的に、サービス要件は、遅延に関する要件および／またはキャリア帯域に関する要件を含み得る。
【００５８】
例えば、マルチモード端末によってサポートされる複数の作動モードがモードＡ、モードＣ、およびモードＥを含み、表１に従って決定される標的作動モード候補の数が２である、すなわち、それぞれモードＡおよびモードＣである。マルチモード端末の現在のサービス要件が低遅延を保証する必要があり、同時に、標的作動モード候補内のモードＣが、低遅延に関するサービス要件を満たすことができる。このとき、モードＣが、マルチモード端末の現在のサービス要件と適合する標的作動モード候補である。
【００５９】
別の例として、マルチモード端末によってサポートされる複数の作動モードがモードＡ、モードＣ、およびモードＥを含み、表１に従って決定される標的作動モード候補の数が２である、すなわち、それぞれモードＡおよびモードＣである。モードＡはキャリア帯域１に対応し、モードＣはキャリア帯域３に対応する。マルチモード端末の現在のサービス要件が、マルチモード端末がキャリア帯域３上で作動することを必要とするとき、モードＣが、マルチモード端末の現在のサービス要件と適合する標的作動モード候補であると決定することもできる。
【００６０】
さらに、マルチモード端末は、現在のサービス要件と適合する標的作動モード候補に対応する基地局を、マルチモード端末と適合する標的基地局として使用する。
【００６１】
例えば、上記の実施形態において、標的作動モード候補の数が２である、すなわち、それぞれモードＡおよびモードＣである。モードＣが、マルチモード端末の現在のサービス要件と適合する標的作動モード候補である。このとき、マルチモード端末は、表１に従って、基地局３を、マルチモード端末と適合する標的基地局として使用する。
【００６２】
上記の実施形態において、標的作動モード候補の数が１に等しいとき、標的作動モード候補に対応する基地局が、マルチモード端末と適合する標的基地局として使用される。標的作動モード候補の数が１よりも大きいとき、場合に、マルチモード端末の現在のサービス要件と適合する標的作動モード候補に対応する基地局が、マルチモード端末と適合する標的基地局として使用される。上記のプロセスを通じてマルチモード端末と適合する標的基地局は、マルチモード端末が標的基地局へのアクセス後に通常通り作動することができるように、マルチモード端末によって複数の基地局から決定することができる。
【００６３】
ステップ１０３を参照すると、複数の基地局から標的基地局を決定した後、マルチモード端末は、関連技術に従って、標的基地局にアクセスするためのアクセス要求を、標的基地局に送信することができる。標的基地局は、アクセス要求に基づいて標的端末とのワイヤレス接続を確立し、結果、マルチモード端末が標的基地局にアクセスするプロセスが完了し、マルチモード端末が、マルチモード端末と適合する標的基地局にアクセスし、その後、通常通り作動することができることが保証される。
【００６４】
本開示の実施形態において、マルチモード端末がその後、通常通り作動することができることをさらに保証するために、任意選択的に、基地局にアクセスするための方法は、図１の実施形態に従って示される基地局にアクセスするための別の方法の流れ図である、図３に示すようなものである。方法は、以下のステップをさらに含むことができる。
【００６５】
ステップ１０４において、標的基地局にアクセスするアクセスするプロセスの間に、または、標的基地局にアクセスした後に、マルチモード端末によってサポートされる複数の作動モードが標的基地局に報告され、結果、標的基地局は、複数の作動モードに基づいて、マルチモード端末と適合する標的作動モードを構成する、報告モジュールをさらに含む。
【００６６】
本開示の実施形態において、ステップ１０４は、ステップ１０３と同時に実施されてもよく、または、ステップ１０３が完了した後に実施されてもよい。すなわち、マルチモード端末は、標的基地局にアクセスするプロセスの間に、または、標的基地局にアクセスした後に、複数の作動モードを、標的基地局に報告することができる。標的基地局は、マルチモード端末の現在のサービス・タイプのような情報に従って、複数の作動モードから、マルチモード端末に対する最も適合する標的作動モードを選択する。さらに、標的基地局は、所定の作動モードとネットワーク構成情報との間の対応関係に従って、標的作動モードに対応する標的ネットワーク構成情報を、マルチモード端末に送信することができる。標的基地局によって送信される標的ネットワーク構成情報に従ってネットワーク構成を実施した後、マルチモード端末は、標的作動モードにおいて作動することができ、結果、マルチモード端末は、通常通り作動することができる。
【００６７】
上記のプロセスを通じて、マルチモード端末は、標的基地局にアクセスするプロセスの間に、または、標的基地局にアクセスした後に、マルチモード端末自体によってサポートされる複数の作動モードを、標的基地局に報告することができる。標的基地局は、マルチモード端末に対する適合する標的作動モードを構成し、結果、マルチモード端末が標的基地局へのアクセス後に通常通り作動することができることがさらに保証される。
【００６８】
本開示の一実施形態は、基地局に適用することができる、基地局にアクセスするための別の方法をさらに提供する。方法は、以下のステップを含む。
【００６９】
ステップ２０１において、基地局に対応する作動モード候補がマルチモード端末に送信され、結果、マルチモード端末は、複数の基地局によって送信され、それぞれ複数の基地局に対応する代替的な端末モード、および、マルチモード端末によってサポートされる複数の作動モードに従って、複数の基地局からマルチモード端末と適合する標的基地局を決定し、
作動モード候補の各々は、現在の基地局が、当該基地局にアクセスする端末が作動することをサポートする作動モードである。
【００７０】
上記の実施形態において、基地局は、基地局に対応する作動モード候補をマルチモード端末に送信することができる。マルチモード端末は、複数の基地局によって送信され、それぞれ複数の基地局に対応する代替的な端末モード、および、マルチモード端末によってサポートされる複数の作動モードに従って、複数の基地局からマルチモード端末と適合する標的基地局を決定することができる。上記のプロセスを通じて、基地局は、マルチモード端末がマルチモード端末と適合する標的基地局を決定し、マルチモード端末が通常通り作動することができることを保証するように、基地局に対応する作動モード候補をマルチモード端末に送信する必要がある。
【００７１】
ステップ２０１を参照すると、任意選択的に、基地局は、システム情報を使用することによって、作動モード候補をマルチモード端末に送信することができる。システム情報は、キー・システム情報または他のシステム情報であってもよく、キー・システム情報とは、端末が基地局にランダムにアクセスするために必要な最小限のシステム情報を指し、他のシステム情報とは、キー・システム情報以外の他のシステム情報を指す。
【００７２】
このステップにおいて、基地局は、キー・システム情報内で、基地局に対応する作動モード候補を搬送し、マルチモード端末にシステム情報をブロードキャストすることができる。代替的に、基地局は、他のシステム情報内で作動モード候補を搬送し、ブロードキャストまたはユニキャストによって、他のシステム情報をマルチモード端末に送信してもよい。基地局は、１つまたは複数の作動モード候補に対応することができ、各作動モード候補は、１つのキャリア帯域に対応する。
【００７３】
マルチモード端末は、それぞれ複数の基地局に対応する、受信されている作動モード候補、および、マルチモード端末自体によってサポートされる複数の作動モードに従って、マルチモード端末と適合する、アクセスするための標的基地局を選択することができる。
【００７４】
一実施形態において、任意選択的に、基地局にアクセスするための方法が図４に示されており、図４は、一実施形態による基地局にアクセスするための別の方法の流れ図である。ステップ２０１が完了した後、この方法は、以下のステップをさらに含む。
【００７５】
ステップ２０２において、マルチモード端末が、基地局を、マルチモード端末と適合する標的基地局として決定した後、基地局にアクセスするプロセスの間に、または、基地局にアクセスした後に報告される、マルチモード端末によってサポートされる複数の作動モードが受信される。
【００７６】
このステップにおいて、現在の基地局を標的基地局として決定した後、マルチモード端末は、基地局にアクセスするプロセスの間に、または、基地局にアクセスした後に、マルチモード端末によってサポートされる複数の作動モードを報告することができ、その後、基地局が、複数の作動モードを直接的に受信する。
【００７７】
ステップ２０３において、複数の作動モードに基づいて、マルチモード端末と適合する標的基地局が構成される。
【００７８】
本開示の実施形態において、マルチモード端末が通常通り作動することができることをさらに保証するために、マルチモード端末によってサポートされる複数の作動モードを受信した後、基地局は、マルチモード端末の現在のサービス・タイプのような情報に従って、マルチモード端末に対する最も適合する標的作動モードを決定することができる。
【００７９】
さらに、基地局は、所定の作動モードとネットワーク構成情報との間の対応関係に従って、標的作動モードに対応する標的ネットワーク構成情報を決定し、標的ネットワーク構成情報をマルチモード端末に送信することができる。マルチモード端末は、マルチモード端末が通常通り作動することができるように、標的ネットワーク構成情報に従ってネットワーク構成を実施する。
【００８０】
本開示の一実施形態において、図５Ａは、例示的な実施形態に従って示される基地局にアクセスするシナリオを示す概略図である。複数の基地局２００によって送信され、それぞれ複数の基地局２００に対応する作動モード候補を受信した後、マルチモード端末１００は、作動モード候補、および、マルチモード端末１００自体によってサポートされる複数の作動モードに従って、複数の基地局２００からマルチモード端末１００と適合する標的基地局を決定する。標的基地局が２００−１であると仮定し、さらに、マルチモード端末１００は標的基地局２００−１にアクセスすることができると仮定する。
【００８１】
標的基地局２００−１にアクセスするプロセスの間、または、標的基地局２００−１にアクセスした後、マルチモード端末１００は、マルチモード端末１００によってサポートされる複数の作動モードを、標的基地局２００−１に報告することができる。標的基地局２００−１は、複数の作動モードに基づいて、マルチモード端末１００と適合する標的作動モードを構成することができる。
【００８２】
本開示の一実施形態は、基地局にアクセスするための別の方法をさらに提供する。図５Ｂは、以下のステップを含むことができる、図５Ａに示すシナリオ実施形態に従って基地局にアクセスするための別の方法の流れ図である。
【００８３】
ステップ３０１において、基地局２００が、システム情報を通じて、基地局２００に対応する作動モード候補をマルチモード端末１００にブロードキャストする。
【００８４】
作動モード候補は、基地局２００が、当該基地局にアクセスする端末が作動することをサポートする作動モードである。
【００８５】
ステップ３０２において、マルチモード端末１００が、複数の基地局２００に対応する、受信されている作動モード候補、および、マルチモード端末１００によってサポートされる複数の作動モードに従って、複数の基地局２００から、マルチモード端末と適合する標的基地局２００−１を決定する。
【００８６】
ステップ３０３において、マルチモード端末１００が標的基地局２００−１にアクセスする。
【００８７】
ステップ３０４において、標的基地局にアクセスするプロセスの間、または、標的基地局２００−１にアクセスした後、マルチモード端末１００が、マルチモード端末１００によってサポートされる複数の作動モードを、標的基地局２００−１に報告する。
【００８８】
ステップ３０５において、標的基地局２００−１が、複数の作動モードに基づいて、マルチモード端末１００と適合する標的作動モードを構成する。
【００８９】
上記の実施形態において、マルチモード端末は、複数の基地局からマルチモード端末自体と適合する標的基地局を選択し、標的基地局にアクセスし、結果、マルチモード端末が通常通り作動することを保証することができる。
【００９０】
さらに、マルチモード端末１００は、標的基地局２００−１にアクセスするプロセスの間に、または、標的基地局２００−１にアクセスした後に、マルチモード端末１００によってサポートされる複数の作動モードを、標的基地局２００−１に報告することができる。標的基地局２００−１は、マルチモード端末１００に対する適切な標的作動モードを選択する。マルチモード端末１００は、標的基地局２００−１によって返され、標的作動モードに対応する標的ネットワーク構成情報に従ってネットワーク構成を実施し、その後、標的モードにおいて作動することができ、結果、マルチモード端末が通常通り作動することができることも保証される。
【００９１】
上記の適用機能の実施方法の実施形態に対応して、本開示は、適用機能の実施装置および対応する端末の実施形態をさらに提供する。
【００９２】
例示的な実施形態に従って示される基地局にアクセスするための装置のブロック図である図６を参照すると、装置はマルチモード端末に適用され、
複数の基地局によって送信され、それぞれ複数の基地局に対応する作動モード候補を受信するように構成されている第１の受信モジュール４１０であって、作動モード候補の各々は、現在の基地局が、当該基地局にアクセスする端末が作動することをサポートする作動モードである、第１の受信モジュール４１０と、
作動モード候補およびマルチモード端末によってサポートされる複数の作動モードに従って、複数の基地局からマルチモード端末と適合する標的基地局を決定するように構成されている基地局決定モジュール４２０と、
標的基地局にアクセスするように構成されているアクセスモジュール４３０と
を含む。
【００９３】
図６に示す実施形態に従って示される基地局にアクセスするためのさらなる装置のブロック図である図７を参照すると、基地局決定モジュール４２０は、
作動モード候補からマルチモード端末によってサポートされる複数の作動モードのうちのいずれかと適合する標的作動モード候補を決定するように構成されている第１の決定サブモジュール４２１と、
標的作動モード候補に従って、複数の基地局からマルチモード端末と適合する標的基地局を決定するように構成されている第２の決定サブモジュール４２２と
を含む。
【００９４】
図７に示す実施形態に従って示される基地局にアクセスするための別の装置のブロック図である図８を参照すると、第２の決定サブモジュール４２２は、
標的作動モード候補の数が１に等しい場合に、複数の基地局の間で標的作動モード候補に対応する基地局を、マルチモード端末と適合する標的基地局として使用するように構成されている第３の決定サブモジュール４２３を含む。
【００９５】
図７に示す実施形態に従って示される基地局にアクセスするためのさらに別の装置のブロック図である図９を参照すると、第２の決定サブモジュール４２２は、
標的作動モード候補の数が１よりも大きい場合に、マルチモード端末の現在のサービス要件と適合する標的作動モード候補を決定するように構成されている第４の決定サブモジュール４２４と、
現在のサービス要件と適合する標的作動モード候補に対応する基地局を、マルチモード端末と適合する標的基地局として使用するように構成されている第５の決定サブモジュール４２５と
を含む。
【００９６】
図６に示す実施形態に従って示される基地局にアクセスするための別の装置のブロック図である図１０を参照すると、装置は、
標的基地局にアクセスするプロセスの間に、または、標的基地局にアクセスした後に、マルチモード端末によってサポートされる複数の作動モードを標的基地局に報告するように構成されている報告モジュール４４０であって、結果、標的基地局は、複数の作動モードに基づいて、マルチモード端末と適合する標的作動モードを構成する、報告モジュール４４０をさらに含む。
【００９７】
例示的な実施形態に従って示される基地局にアクセスするための装置のブロック図である図１１を参照すると、装置は基地局に適用され、
各基地局に対応する作動モード候補をマルチモード端末に送信するように構成されている送信モジュール５１０であり、結果、マルチモード端末は、複数の基地局によって送信され、それぞれ複数の基地局に対応する代替的な端末モード、および、マルチモード端末によってサポートされる複数の作動モードに従って、複数の基地局からマルチモード端末と適合する標的基地局を決定する、送信モジュール５１０を含み、
作動モード候補の各々は、現在の基地局が、当該基地局にアクセスする端末が作動することをサポートする作動モードである。
【００９８】
図１１に示す実施形態に従って示される基地局にアクセスするためのさらなる装置のブロック図である図１２を参照すると、送信モジュール５１０は、
システム情報を使用することによって、基地局に対応する作動モード候補をマルチモード端末に送信するように構成されている送信サブモジュール５１１を含む。
【００９９】
図１１に示す実施形態に従って示される基地局にアクセスするための別の装置のブロック図である図１３を参照すると、装置は、
マルチモード端末が基地局をマルチモード端末と適合する標的基地局として決定した後に、基地局にアクセスするプロセスの間に、または、基地局にアクセスした後に報告される、マルチモード端末によってサポートされる複数の作動モードを受信するように構成されている第２の受信モジュール５２０と、
複数の作動モードに基づいて、マルチモード端末と適合する標的作動モードを構成するように構成されている作動モード構成モジュール５３０と
をさらに含む。
【０１００】
装置実施形態は方法実施形態に実質的に対応するため、方法実施形態の同様の部分が、装置実施形態に対して参照され得る。上記の装置実施形態は例示に過ぎない。別個の部材として記載されているユニットは、物理的に分離されていてもよく、または、分離されていなくてもよい。ユニットとして記載されている部材は、物理ユニットであってもよく、または、なくてもよく、すなわち、同じ場所に位置してもよく、または、複数のネットワーク・ユニット内に分散されてもよい。本開示のソリューションの目的は、実際の需要に従ってモジュールの一部または全部を選択することによって実現することができる。上記は、いかなる発明的な作業も行うことなく、当業者によって理解し、実施することができる。
【０１０１】
対応して、本開示の一実施形態は、コンピュータ・プログラムを記憶するように構成されているコンピュータ可読記憶媒体であって、コンピュータ・プログラムは、マルチモード端末に適用される、基地局にアクセスするための方法のうちのいずれか１つを実施するように構成されている、コンピュータ可読記憶媒体をさらに提供する。
【０１０２】
対応して、本開示の一実施形態は、コンピュータ・プログラムを記憶するように構成されているコンピュータ可読記憶媒体であって、コンピュータ・プログラムは、基地局に適用される、基地局にアクセスするための方法のうちのいずれか１つを実施するように構成されている、コンピュータ可読記憶媒体をさらに提供する。
【０１０３】
対応して、本開示の一実施形態は、基地局にアクセスするための装置であって、装置はマルチモード端末に適用され、
プロセッサと、
プロセッサ実行可能命令を記憶するように構成されているメモリと
を備え、
プロセッサは、
複数の基地局によって送信され、それぞれ複数の基地局に対応する作動モード候補を受信することであり、作動モード候補の各々は、現在の基地局が、当該基地局にアクセスする端末が作動することをサポートする作動モードである、受信することと、
作動モード候補およびマルチモード端末によってサポートされる複数の作動モードに従って、複数の基地局からマルチモード端末と適合する標的基地局を決定することと、
標的基地局にアクセスすることと
を行うように構成されている、装置をさらに提供する。
【０１０４】
図１４は、例示的な実施形態に従って示される基地局にアクセスするための装置の概略構造図である。図１４に示すように、例示的な実施形態に従って示される基地局にアクセスするための装置１４００が提供される。装置１４００は、複数の作動モードをサポートするマルチモード端末であり得る。
【０１０５】
図１４を参照すると、装置１４００は、以下の構成要素、すなわち、処理構成要素１４０１、メモリ１４０２、電源構成要素１４０３、マルチメディア構成要素１４０４、オーディオ構成要素１４０５、入出力（Ｉ／Ｏ）インターフェース１４０６、センサ構成要素１４０７および通信構成要素１４０８のうちの１つまたは複数を含むことができる。
【０１０６】
処理構成要素１４０１は、一般的に、ディスプレイと関連付けられる動作、通話呼、データ通信、カメラ動作、および記録動作のような、装置１４００の全体的な動作を制御する。処理構成要素１４０１は、上述の方法のステップの全部または一部を実施するための命令を実行するための１つまたは複数のプロセッサ１４２０を含むことができる。その上、処理構成要素１４０１は、処理構成要素１４０１と他の構成要素との間の相互作用を促進する１つまたは複数のモジュールを含むことができる。例えば、処理構成要素１４０１は、マルチメディア構成要素１４０４と処理構成要素１４０１との間の相互作用を促進するためのマルチメディア・モジュールを含むことができる。
【０１０７】
メモリ１４０２は、装置１４００の動作をサポートするための様々なタイプのデータを記憶するように構成されている。そのようなデータの例は、装置１４００上で動作させられる任意のアプリケーションまたは方法のための命令、連絡先データ、電話帳データ、メッセージ、画像、ビデオなどを含む。メモリ１４０２は、スタティックランダム・アクセスメモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュ・メモリ、磁気または光学ディスクのような、任意のタイプの揮発性または不揮発性メモリ・デバイスまたはそれらの組み合わせを使用することによって実装されてもよい。
【０１０８】
電源構成要素１４０３は、装置１４００の種々の構成要素に電力を供給する。電源構成要素１４０３は、電力管理システム、１つまたは複数の電源、ならびに、装置１４００の電力の生成、管理、および分配と関連付けられる任意の他の構成要素を含むことができる。
【０１０９】
マルチメディア構成要素１４０４は、装置１４００とユーザとの間の出力インターフェースを提供する画面を含む。いくつかの実施形態において、画面は、液晶ディスプレイ（ＬＣＤ）およびタッチパネル（ＴＰ）を含んでもよい。画面がタッチ・パネルを含む場合、画面は、ユーザから入力信号を受信するためのタッチ・スクリーンとして実装することができる。タッチ・パネルは、タッチ・パネル上でのタッチ、スワイプ、およびジェスチャを検知するための１つまたは複数のタッチ・センサを含む。タッチ・センサは、タッチまたはスワイプ動作の境界を検知することができるだけでなく、タッチまたはスワイプ動作と関連付けられる継続時間および圧力をも検知することができる。いくつかの実施形態において、マルチメディア構成要素１４０４は、フロント・カメラおよび／またはリア・カメラを含む。フロント・カメラおよびリア・カメラは、装置１４００が、写真撮影モードまたはビデオ・モードのような動作モードにある間に、外部マルチメディア・データを受信することができる。フロント・カメラおよびリア・カメラの各々は、固定光学レンズ系であってもよく、または、合焦および光学ズーム機能を有してもよい。
【０１１０】
オーディオ構成要素１４０５は、オーディオ信号を出力および／または入力するように構成されている。例えば、オーディオ構成要素１４０５は、装置１４００が呼モード、記録モード、および音声認識モードのような動作モードにあるときに、外部オーディオ信号を受信するように構成されているマイクロフォン（ＭＩＣ）を含む。受信オーディオ信号はさらに、メモリ１４０２に記憶されてもよく、または、通信構成要素１４０８を介して送信されてもよい。いくつかの実施形態において、オーディオ構成要素１４０５は、オーディオ信号を出力するためのスピーカをさらに含む。
【０１１１】
Ｉ／Ｏインターフェース１４０６は、処理構成要素１４０１と、キーボード、クリックホイール、ボタンなどのような周辺インターフェース・モジュールとの間のインターフェースを提供する。ボタンは、限定ではないが、ホーム・ボタン、音量ボタン、開始ボタンおよびロック・ボタンを含んでもよい。
【０１１２】
通信構成要素１４０８は、装置１４００と他のデバイスとの間の有線またはワイヤレス通信を促進するように構成されている。装置１４００は、ＷｉＦｉ、２Ｇもしくは３Ｇ、またはそれらの組み合わせのような通信規格に基づくワイヤレス・ネットワークにアクセスすることができる。例示的な実施形態において、通信構成要素１４０８は、外部ブロードキャスト管理システムからブロードキャスト・チャネルを介して、ブロードキャスト信号またはブロードキャスト関連情報を受信する。例示的な実施形態において、通信構成要素１４０８は、短距離通信を促進するための近距離無線通信（ＮＦＣ）モジュールをさらに含む。
【０１１３】
通信構成要素１４０８は、装置１４００と他のデバイスとの間の有線またはワイヤレス通信を促進するように構成されている。装置１４００は、ＷｉＦｉ、２Ｇもしくは３Ｇ、またはそれらの組み合わせのような通信規格に基づくワイヤレス・ネットワークにアクセスすることができる。例示的な実施形態において、通信構成要素１４０８は、外部ブロードキャスト管理システムからブロードキャスト・チャネルを介して、ブロードキャスト信号またはブロードキャスト関連情報を受信する。例示的な実施形態において、通信構成要素１４０８は、短距離通信を促進するための近距離無線通信（ＮＦＣ）モジュールをさらに含む。例えば、ＮＦＣモジュールは、無線周波数識別（ＲＦＩＤ）技術、赤外線通信協会（ＩｒＤＡ）技術、超広帯域（ＵＷＢ）技術、Ｂｌｕｅｔｏｏｔｈ（登録商標）（ＢＴ）技術および他の技術に基づいて実装されてもよい。
【０１１４】
例示的な実施形態において、装置１４００は、１つまたは複数の特定用途向け集積回路（ＡＳＩＣ）、デジタル信号プロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡ）、コントローラ、マイクロコントローラ、マイクロプロセッサ、または、上述した方法を実施するための他の電子構成要素を用いて実装されてもよい。
【０１１５】
例示的な実施形態において、上述した方法を実施するために、装置１４００内のプロセッサ１４０９によって実行可能な命令を含むメモリ１４０２のような、命令を含む非一時的コンピュータ可読記憶媒体も提供される。例えば、非一時的コンピュータ可読記憶媒体は、ＲＯＭ、ＲＡＭ、ＣＤ−ＲＯＭ、磁気テープ、フロッピー・ディスク、光学データ記憶デバイスなどであってもよい。
【０１１６】
記憶媒体内の命令がプロセッサによって実行されると、装置１４００は、端末側での上記の方法のいずれかを実施することが可能になる。
【０１１７】
本開示は、基地局にアクセスするための装置であって、装置は基地局に適用され、
プロセッサと、
プロセッサ実行可能命令を記憶するように構成されているメモリと
を含み、
プロセッサは、
各基地局に対応する作動モード候補をマルチモード端末に送信することであり、結果、マルチモード端末は、複数の基地局から送信され、それぞれ複数の基地局に対応する作動モード候補、および、マルチモード端末によってサポートされる複数の作動モードに従って、複数の基地局からマルチモード端末と適合する標的基地局を決定する、送信することを行うように構成されており、
作動モード候補の各々は、現在の基地局が、当該基地局にアクセスする端末が作動することをサポートする作動モードである、装置をさらに提供する。
【０１１８】
図１５は、例示的な実施形態において示される基地局にアクセスするための装置１５００の概略構造図である。装置１５００は基地局として提供することができる。図１５を参照すると、装置１５００は、処理構成要素１５２２と、ワイヤレス送受信構成要素１５２４と、アンテナ構成要素１５２６と、ワイヤレス・インターフェースに特有の信号処理部とを含む。処理構成要素１５２２は、１つまたは複数のプロセッサをさらに含むことができる。
【０１１９】
基地局に対応する作動モード候補がマルチモード端末に送信され、結果、マルチモード端末は、複数の基地局から送信され、それぞれ複数の基地局に対応する作動モード候補、および、マルチモード端末によってサポートされる複数の作動モードに従って、複数の基地局からマルチモード端末と適合する標的基地局を決定し、
作動モード候補の各々は、現在の基地局が、当該基地局にアクセスする端末が作動することをサポートする作動モードである。
【０１２０】
本明細書を考察し、本開示を実践することから、本開示の他の実施形態が当業者には諒解されよう。本出願は、その一般的な原理に従い、本開示には開示されていない一般的な知識または一般的に使用されている技術的手段を含む、本開示の任意の変形形態、使用、または適合をカバーするように意図されている。本明細書および実施形態は例示的にのみ考慮されるべきであり、本開示の真の範囲および精神は、添付の特許請求の範囲によって示される。
【０１２１】
本開示は、上述し、添付の図面に示した正確な構造に限定されないこと、ならびに、その範囲から逸脱することなく様々な修正および変更を行うことができることは諒解されたい。本開示の範囲は以下の特許請求の範囲によってのみ限定されることが意図されている。
【図１】
0006901591.tif 000003
【図２】
0006901591.tif 000004
【図３】
0006901591.tif 000005
【図４】
0006901591.tif 000006
【図５Ａ】
0006901591.tif 000007
【図５Ｂ】
0006901591.tif 000008
【図６】
0006901591.tif 000009
【図７】
0006901591.tif 000010
【図８】
0006901591.tif 000011
【図９】
0006901591.tif 000012
【図１０】
0006901591.tif 000013
【図１１】
0006901591.tif 000014
【図１２】
0006901591.tif 000015
【図１３】
0006901591.tif 000016
【図１４】
0006901591.tif 000017
【図１５】
0006901591.tif 000018